(57)【要約】【課題】単位体積当りの発電量が多い微生物発電装置を提供する。【解決手段】微生物発電装置２０，２０Ａの１対のエンドプレート３０，３０の間に４枚のアニオン交換膜３１が互いに平行に配置されることにより、左から１番目及び２番目の該アニオン交換膜３１，３１同士と左から３番目及び４番目のアニオン交換膜３１，３１同士の間にそれぞれ負極室３２が形成されている。左から１番目のアニオン交換膜と左側エンドプレート３０との間、左から４番目のアニオン交換膜と右側エンドプレート３０との間、及び、左から２番目及び３番目のアニオン交換膜同士の間にそれぞれ正極室３３が形成されている。正極室３３に酸素含有ガスを流通させる。この微生物発電ユニット２０，２０Ａを上下左右に配列して微生物発電装置とする。【選択図】図１
2010033824.tif 000002
【特許請求の範囲】
【請求項１】
平板状の負極を有し、微生物及び電子供与体を含む液を保持する負極室と、
該負極室に対し平板状のイオン透過性非導電性膜を介して隔てられており、該イオン透過性非導電性膜に接する平板状の正極を備えた正極室と、
を有する単位セルが複数個積層された微生物発電ユニットを複数個備えた微生物発電装置であって、
該微生物発電ユニットが水平方向に複数個並列設置されていることを特徴とする微生物発電装置。
【請求項２】
請求項１において、
各単位セルは、その負極及び正極の板面が上下方向となるように設置されており、正極室には酸素含有ガスが下向流にて通気され、負極室には負極液が上向流にて通水されるよう構成されていることを特徴とする微生物発電装置。
【請求項３】
請求項１又は２において、前記微生物発電ユニットが上下多段に設置されていることを特徴とする微生物発電装置。
【請求項４】
請求項３において、上下方向に配列された微生物発電ユニットの列が複数個並列に設置され、各段の微生物発電ユニットがいずれも同一高さに設置されていることを特徴とする微生物発電装置。
【請求項５】
請求項４において、同一の列に属する微生物発電ユニットについては、酸素含有ガスが上側の微生物発電ユニットから順次に下段側の微生物発電ユニットに通気され、負極液が下側の微生物発電ユニットから順次に上段側の微生物発電ユニットに通水されるよう構成されていることを特徴とする微生物発電装置。
【請求項６】
請求項５において、同一の段に属する微生物発電ユニット同士が電気的に直列に接続され、異なる段の微生物発電ユニットが並列に接続されていることを特徴とする微生物発電装置。
【請求項７】
請求項１ないし６のいずれか１項において、前記微生物発電ユニットは直方体状であることを特徴とする微生物発電装置。
【発明の詳細な説明】
【技術分野】
【０００１】
本発明は、微生物の代謝反応を利用する発電装置に係り、特に、有機物を微生物に酸化分解させる際に得られる還元力を電気エネルギーとして取り出す微生物発電装置に関する。本発明は、特に、単位セルを複数個積層した微生物発電ユニットを複数個備えた微生物発電装置に関する。
【背景技術】
【０００２】
近年、地球環境に配慮した発電方法へのニーズが高まり、微生物発電の技術開発も進められている。微生物発電は、微生物が有機物を資化する際に得られる電気エネルギーを取り出すことにより発電する方法である。
【０００３】
一般的に、微生物発電では負極が配置された負極室内に、微生物、微生物に資化される有機物、及び電子伝達媒体（電子メディエータ）を共存させる。電子メディエータは微生物体内に入り、微生物が有機物を酸化して発生する電子を受け取って負極に渡す。負極は外部抵抗（負荷）を介して正極と電気的に導通しており、負極に渡された電子は外部抵抗（負荷）を介して正極に移動し、正極と接する電子受容体に渡される。このような電子の移動により正極と負極との間に電流が流れる。
【０００４】
この多孔質体には、エアーカソードの電極反応促進用の触媒として、二酸化マンガン、白金等が担持されている。
【０００５】
特許文献１には、円筒状のアノードの外周に円筒状の電解質膜を設け、さらにその外周に円筒状に多孔質カソードを設けて三層筒状体とし、この三層筒状体の内孔にグルコース水溶液等を流通させ、三層筒状体の外周に空気を流通させる微生物発電装置が記載されている。
【０００６】
この特許文献１の図２には、この三層筒状体を空気室内に複数本並列設置した微生物発電装置が記載されている。
【特許文献１】特開２００５−３１７５２０号公報
【発明の開示】
【発明が解決しようとする課題】
【０００７】
上記のように筒状体の内部にグルコース水溶液を流通させ、外周に空気を流通させる筒状単位セルを並列設置した微生物発電装置では、微生物発電装置の単位体積に対する筒状体の周面の面積の比率が小さく、微生物発電装置の単位体積当りの発電量が小さい。
【０００８】
本発明は、上記従来の問題点を解決し、単位体積当りの発電量が多い微生物発電装置を提供することを目的とする。
【課題を解決するための手段】
【０００９】
請求項１の微生物発電装置は、平板状の負極を有し、微生物及び電子供与体を含む液を保持する負極室と、該負極室に対し平板状のイオン透過性非導電性膜を介して隔てられており、該イオン透過性非導電性膜に接する平板状の正極を備えた正極室と、を有する単位セルが複数個積層された微生物発電ユニットを複数個備えた微生物発電装置であって、該微生物発電ユニットが水平方向に複数個並列設置されていることを特徴とするものである。
【００１０】
請求項２の微生物発電装置は、請求項１において、各単位セルは、その負極及び正極の板面が上下方向となるように設置されており、正極室には酸素含有ガスが下向流にて通気され、負極室には負極液が上向流にて通水されるよう構成されていることを特徴とするものである。
【００１１】
請求項３の微生物発電装置は、請求項１又は２において、前記微生物発電ユニットが上下多段に設置されていることを特徴とするものである。
【００１２】
請求項４の微生物発電装置は、請求項３において、上下方向に配列された微生物発電ユニットの列が複数個並列に設置され、各段の微生物発電ユニットがいずれも同一高さに設置されていることを特徴とするものである。
【００１３】
請求項５の微生物発電装置は、請求項４において、同一の列に属する微生物発電ユニットについては、酸素含有ガスが上側の微生物発電ユニットから順次に下段側の微生物発電ユニットに通気され、負極液が下側の微生物発電ユニットから順次に上段側の微生物発電ユニットに通水されるよう構成されていることを特徴とするものである。
【００１４】
請求項６の微生物発電装置は、請求項５において、同一の段に属する微生物発電ユニット同士が電気的に直列に接続され、異なる段の微生物発電ユニットが並列に接続されていることを特徴とするものである。
【００１５】
請求項７の微生物発電装置は、請求項１ないし６のいずれか１項において、前記微生物発電ユニットは直方体状であることを特徴とするものである。
【発明の効果】
【００１６】
本発明の微生物発電装置は、平板状の正極を有した正極室と平板状の負極を有した負極室とからなる単位セルを複数個積層した微生物発電ユニットを、水平方向に複数個並列設置したものである。各正極室及び負極室が平板状となっており、微生物発電ユニットを直方体状とすることができる。従って、円筒状の正極及び負極を有した従来例に比べ、装置全体としてコンパクト化される。しかも、微生物発電装置の単位体積当りの負極液と負極との接触面積が大きく、また、酸素含有ガスと正極との接触面積も大きい。そのため、微生物発電装置の単位体積当りの発電量を多くすることが可能である。
【発明を実施するための最良の形態】
【００１７】
以下に本発明の微生物発電装置の実施の形態を詳細に説明する。この微生物発電装置は、単位セル１を複数個積層した微生物発電ユニット２０を上下左右に多段、多列に配列したものである。
【００１８】
［単位セル］
まず、第３図を参照して、本発明の微生物発電装置の単位セルによる発電の原理について説明する。なお、第３図はこの単位セルの概略的な構成を示す模式的断面図である。
【００１９】
単位セル１内は、イオン透過性非導電性膜としての平板状のアニオン交換膜２によって平板状の正極室３と負極室４とに区画されている。正極室３内にあっては、アニオン交換膜２に接するように、平板状の正極５が設けられている。この正極５にはＭｎＯ２等の触媒が担持されている。
【００２０】
負極室４内には、導電性多孔質材料よりなる平板状の負極６が配置されている。この負極６は、アニオン交換膜２に直に、又は１〜２層程度の微生物の膜を介して接している。
【００２１】
正極室３内の正極５以外は、ガス流通スペースであり、ガス流入口７から空気などの酸素含有ガスが導入され、ガス流出口８から排ガスが流出する。
【００２２】
多孔質材料よりなる負極６に微生物が担持されている。負極室４には下部の流入口４ａから負極溶液を導入し、上部の流出口４ｂから廃液を排出させる。なお、負極室４内は嫌気性とされる。
【００２３】
負極室４内の負極溶液は上部の循環往口９、循環用ポンプ１１を有した循環配管１０、及び下部の循環戻口１２を介して循環される。この循環配管１０には、負極室４から流出してきた液のｐＨを測定するｐＨ計１４が設けられると共に、水酸化ナトリウム水溶液などのアルカリ添加用配管１３が接続されている。
【００２４】
流入口４ａ及び循環戻口１２を下部に配置し、流出口４ｂ及び循環往口９を上部に配置しているので、負極室４内の負極溶液は上向流にて通水される。これにより、負極室４内は、下降流にて通水する場合に比べて偏流が少ないものとなる。
【００２５】
正極室３に酸素含有ガスを通気すると共に、必要に応じポンプ１１を作動させて負極溶液を循環させることにより、負極室４内では、
（有機物）＋Ｈ２Ｏ→ＣＯ２＋Ｈ＋＋ｅ−
なる反応が進行する。この電子ｅ−が負極６、端子１６、外部抵抗１７、端子１８を経て正極５へ流れる。
【００２６】
正極室３では、
Ｈ２Ｏ＋Ｏ＋２ｅ−  →  ２ＯＨ−
の電子消費反応が進行する。
【００２７】
なお、正極５に二酸化マンガンが担持されている場合には、正極室３では、
ＭｎＯ２＋２Ｈ２Ｏ＋２ｅ−  →  Ｍｎ２＋＋４ＯＨ−
Ｍｎ２＋+Ｏ＋Ｈ２Ｏ  →  ＭｎＯ２＋２Ｈ＋
Ｈ＋＋ＯＨ−  →  Ｈ２Ｏ
の反応が進行し、電極反応が促進される。この正極電極反応で水が生じるが、正極室３内にガスを図のように下降流にて流すことにより、凝縮水を正極室３の下部のガス流出口８から排出することができる。
【００２８】
正極室３内のＯＨ−はアニオン交換膜２を透過して負極室へ移動し、Ｈ＋と反応してＨ２Ｏとなる。
【００２９】
負極室４では、微生物による水の分解反応によりＣＯ２が生成することにより、ｐＨが低下しようとする。そこで、ｐＨ計１４の検出ｐＨが好ましくは７〜９となるようにアルカリが負極溶液に添加される。このアルカリは、負極室６に直接に添加されてもよいが、循環水に添加することにより、負極室６内の全域を部分的な偏りなしにｐＨ７〜９に保つことができる。
【００３０】
［微生物発電ユニット］
次に、第４図を参照して微生物発電ユニットによる発電の原理を説明する。なお、第４図はこの微生物発電ユニットの模式的な断面図である。この微生物発電ユニットは、第３図に示した単位セルを複数個（第１図では２個）積層し、両端にエンドプレートを配置し、積層方向の両末端に正極室を配置したものである。
【００３１】
１対のエンドプレート３０，３０の間に４枚のアニオン交換膜３１が互いに平行に配置されることにより、左から１番目及び２番目の該アニオン交換膜３１，３１同士と左から３番目及び４番目のアニオン交換膜３１，３１同士の間にそれぞれ負極室３２が形成されている。左から１番目のアニオン交換膜と左側エンドプレート３０との間、左から４番目のアニオン交換膜と右側エンドプレート３０との間、及び、左から２番目及び３番目のアニオン交換膜同士の間にそれぞれ正極室３３が形成されている。
【００３２】
負極室３２内には、各アニオン交換膜３１と直に、又は１層〜２層程度の生物膜を介して接するように、多孔質材料よりなる負極３４が配置されている。負極３４は、アニオン交換膜３１に対し軽く（例えば０．１ｋｇ／ｃｍ２以下の圧力で）押し付けられるのが好ましい。
【００３３】
正極室３３内には、アニオン交換膜３１と接して正極３５が配置されている。この正極３５は、パッキン３６に押圧されてアニオン交換膜３１に押し付けられている。正極３５とアニオン交換膜３１との密着性を高めるために、両者を溶着したり、接着剤で接着してもよい。
【００３４】
左から１番目及び４番目の正極３５と各エンドプレート３０との間は、酸素含有ガスの流通スペースとなっている。また、左から２番目及び３番目の正極３５，３５同士の間も酸素含有ガスの流通スペースとなっている。
【００３５】
この正極３５及び負極３４は、正負の各出力端子３７，３９に接続されている。
【００３６】
負極室３２には、負極溶液の給液ライン６１を介して、流入口３２ａから負極溶液が導入され、負極室３２内を上向流にて通水され、流出口３２ｂから廃液が廃液ライン６２へ流出する。負極室３２内は嫌気性とされる。
【００３７】
各負極室３２内の負極溶液は、循環往口４１、循環配管４２、循環ポンプ４３及び循環戻口４４を介して循環される。この循環配管４２に、ｐＨ計４７が設けられると共に、アルカリ添加用配管４５が接続されている。負極室３２から流出する負極溶液のｐＨをｐＨ計４７で検出し、このｐＨが好ましくは７〜９となるように水酸化ナトリウム水溶液などのアルカリが添加される。
【００３８】
各正極室３３には、空気、ライン７１を介してガス流入口５１から空気が流入し、正極室３３内を下降流にて流れ、排ガスが正極室３３下部のガス流出口５２から廃空気ライン７２へ流出する。
【００３９】
この第４図の微生物発電ユニット２０においても、正極室３３に酸素含有ガスを流通させ、負極室３２に負極溶液を流通させ、好ましくは負極溶液を循環させることにより、正極３５と負極３４との間に電位差が生じ、発電が行われる。
【００４０】
この実施の形態では、正極３５、負極３４及びアニオン交換膜３１がいずれも平板状であり、酸素含有ガスと正極３５との接触効率及び負極３４と負極溶液との接触効率がいずれも高い。また、正極室３３及び負極室３２は、いずれも酸素含有ガスや負極溶液が流通する程度の厚みの小さいもので足りる。
【００４１】
なお、第４図では負極室３２が正極室３３に比べて相当に厚く図示されているが、これは図面を明瞭とするために模式的に描いたためであり、実際には、次に説明する第５図の通り、負極室３２も十分に厚みの小さいものである。従って、微生物発電装置の単位体積当りの発電効率が高い。
【００４２】
次に、第５図を参照して微生物発電ユニット２０の積層構造について説明する。
【００４３】
正極室３３は、方形枠状の正極室フレーム３３Ｆによって囲まれ、負極室３２は方形枠状の負極室フレーム３２Ｆによって囲まれている。第２図の左側からエンドプレート（左側）３０、正極室フレーム３３Ｆ、アニオン交換膜３１、負極室フレーム３２Ｆ、アニオン交換膜３１、正極室フレーム３３Ｆ、アニオン交換膜３１、負極室フレーム３２Ｆ、アニオン交換膜３１、正極室フレーム３３Ｆ及びエンドプレート（右側）３０がこの順に積層されている。エンドプレート３０（左側）と各フレーム３３Ｆ、３２Ｆ及びアニオン交換膜３１の上部にはそれぞれ空気ライン７１を形成するための孔７３が設けられている。
【００４４】
正極室フレーム３３Ｆにあっては、この孔７３と正極室３３内を連通するように流入口５１が設けられている。エンドプレート３０（左側）と各フレーム３３Ｆ、３２Ｆ、及びアニオン交換膜３１の下部には、それぞれ廃空気ライン７２を形成するための孔７４が設けられている。正極室フレーム３３Ｆにあっては、この孔７４と正極室３３内を連通するように流出口５２が設けられている。
【００４５】
エンドプレート（左側）３０と各フレーム３３Ｆ、３２Ｆ及びアニオン交換膜３１の下部には、負極溶液の給液ライン６１を構成するための孔６３が設けられている。負極室フレーム３２Ｆにあっては、この孔６３と負極室３２内とを連通するように流入口３２ａが設けられている。
【００４６】
エンドプレート（左側）３０と各フレーム３３Ｆ、３２Ｆ及びアニオン交換膜３１の上部には、負極溶液の廃液ライン６２を構成するための孔６４が設けられている。負極室フレーム３２Ｆにあっては、この孔６４と負極室３２内とを連通するように流出口３２ｂが設けられている。
【００４７】
右側エンドプレート３０と各フレーム３３Ｆ、３２Ｆ及びアニオン交換膜３１の上部には、循環配管３２の往側を構成するための孔８１が設けられている。負極室フレーム３２Ｆにあっては、この孔８１と負極室３２内とを連通するように循環往口４１が設けられている。
【００４８】
右側エンドプレート３０と各フレーム３３Ｆ、３２Ｆ及びアニオン交換膜３１の下部には、循環配管３２の戻側を構成するための孔８２が設けられている。負極室フレーム３２Ｆにあっては、この孔８２と負極室３２内とを連通するように循環戻口４４が設けられている。
【００４９】
アニオン交換膜３１の正極室３３側の面のうち、正極室フレーム３３Ｆの枠内側領域に正極３５が設けられている。負極３２は、負極室フレーム３２Ｆの枠内側と同一大きさに成形され、負極室フレーム３２Ｆに内嵌されている。
【００５０】
これらのエンドプレート３０と各フレーム３３Ｆ、３２Ｆ及びアニオン交換膜３１を、正極室３２内にスペーサ３６（第４図では図示略）を配置して、また相互間にガスケット（図示略）を介して積層し、タイボルト等の緊締具によって積層方向に締め付けることにより微生物発電ユニット２０が構成される。エンドプレート３０及び各フレーム３３Ｆ、３２Ｆが方形であるので、微生物発電ユニット２０は直方体形状である。
【００５１】
なお、各孔７３同士が同軸的に重なることにより空気ライン７１が構成され、孔７４同士が同軸的に重なることにより廃空気ライン７２が構成される。また、孔６３同士が同軸的に重なることによって負極溶液給液ライン６１が構成され、孔６４同士が同軸的に重なることによって負極溶液廃液ライン６２が構成される。孔８１同士が同軸的に重なることによって負極溶液の循環往ラインが構成され、孔８２同士が同軸的に重なることによって負極溶液の循環戻ラインが構成される。
【００５２】
第５図において、例えば正極室フレーム３３Ｆ、アニオン交換膜３１、負極室フレーム３２Ｆ及びアニオン交換膜３１よりなる単位セルの数をさらに多数としてもよい。なお、第２図は、エンドプレート（左側）３０に対しこの単位セルを複数個積層し、その最右側に正極室フレーム３３Ｆを介してエンドプレート（右側）３０を重ねた構成のものである。単位セルの数は、５〜５０程度が好適である。
【００５３】
次に、この微生物発電装置の微生物、負極溶液などのほか、イオン透過性非導電性膜、負極、正極の好適な材料等について説明する。
【００５４】
負極溶液中に含有させることで電気エネルギーを産生させる微生物は、電子供与体としての機能を有するものであれば特に制限されない。例えば、Saccharomyces、Hansenula、Candida、Micrococcus、Staphylococcus、Streptococcus、Leuconostoa、Lactobacillus、Corynebacterium、Arthrobacter、Bacillus、Clostridium、Neisseria、Escherichia、Enterobacter、Serratia、Achromobacter、Alcaligenes、Flavobacterium、Acetobacter、Moraxella、Nitrosomonas、Nitorobacter、Thiobacillus、Gluconobacter、Pseudomonas、Xanthomonas、Vibrio、Comamonas及びProteus（Proteus  vulgaris）の各属に属する細菌、糸状菌、酵母などを挙げることができる。このような微生物を含む汚泥として下水等の有機物含有水を処理する生物処理槽から得られる活性汚泥、下水の最初沈澱池からの流出水に含まれる微生物、嫌気性消化汚泥等を植種として負極室に供給し、微生物を負極に保持させることができる。発電効率を高くするためには、負極室内に保持される微生物量は高濃度であることが好ましく、例えば微生物濃度は１〜５０ｇ／Ｌであることが好ましい。
【００５５】
負極溶液としては、微生物又は細胞を保持し、かつ発電に必要な組成を有する溶液が用いられる。例えば、呼吸系の発電を行う場合は、負極側の溶液としては、ブイヨン培地、Ｍ９培地、Ｌ培地、Malt  Extract、ＭＹ培地、硝化菌選択培地などの呼吸系の代謝を行うのに必要なエネルギー源や栄養素などの組成を有する培地が利用できる。また、下水、有機性産業排水、生ごみ等の有機性廃棄物を用いることができる。
【００５６】
負極溶液中には、微生物又は細胞からの電子の引き抜きをより容易とするために電子メディエーターを含有させてもよい。この電子メディエーターとしては、例えば、チオニン、ジメチルジスルホン化チオニン、ニューメチレンブルー、トルイジンブルー−Ｏ等のチオニン骨格を有する化合物、２−ヒドロキシ−１，４−ナフトキノン等の２−ヒドロキシ−１，４−ナフトキノン骨格を有する化合物、ブリリアントクレジルブルー、ガロシアニン、レソルフィン、アリザリンブリリアントブルー、フェノチアジノン、フェナジンエソスルフェート、サフラニン−Ｏ、ジクロロフェノールインドフェノール、フェロセン、ベンゾキノン、フタロシアニン、あるいはベンジルビオローゲン及びこれらの誘導体などを挙げることができる。
【００５７】
さらに、微生物の発電機能を増大させるような材料、例えばビタミンＣのような抗酸化剤や、微生物中の特定の電子伝達系や物質伝達系のみを働かせる機能増大材料を溶解すると、さらに効率よく電力を得ることができるので好ましい。
【００５８】
負極溶液は、必要に応じ、リン酸バッファを含有していてもよい。
【００５９】
負極溶液は有機物を含むものである。この有機物としては、微生物によって分解されるものであれば特に制限はなく、例えば水溶性の有機物、水中に分散する有機物微粒子などが用いられる。負極溶液は、下水、食品工場排水などの有機性廃水であってもよい。負極溶液中の有機物濃度は、発電効率を高くするために１００〜１００００ｍｇ／Ｌ程度の高濃度であることが好ましい。
【００６０】
正極室に流通させる酸素含有ガスとしては、空気が好適である。正極室からの排ガスを、必要に応じ脱酸素処理した後、負極室に通気し、負極溶液Ｌからの溶存酸素のパージに用いてもよい。
【００６１】
イオン透過性非導電性膜としては、非導電性、かつイオン透過性を有するものであればほとんどのものが使用できるが、前述の通り、特にアニオン交換膜が好適である。アニオン交換膜としては、アストム製アニオン交換膜やトクヤマ製アニオン型電解質膜などが好適である。イオン透過性非導電性膜は、薄くて丈夫であることが好ましく、通常、その膜厚は３０〜３００μｍ、特に３０〜２００μｍ程度であることが好ましい。
【００６２】
負極は、多くの微生物を保持できるよう、表面積が大きく空隙が多く形成され通水性を有する多孔体が好ましい。具体的には、少なくとも表面が粗とされた導電性物質のシートや導電性物質をフェルト状その他の多孔性シートにした多孔性導電体（例えばグラファイトフェルト、発泡チタン、発泡ステンレス等）が挙げられる。
【００６３】
複数のシート状導電体を積層して負極としてもよい。この場合、同種の導電体シートを積層してもよく、異なる種類の導電体シート同士（例えばグラファイトフェルトと粗面を有するグラファイトシート）を積層してもよい。
【００６４】
負極は全体の厚さが３ｍｍ以上４０ｍｍ以下、特に５〜２０ｍｍ程度であることが好ましい。積層シートによって負極を構成した場合、シート同士の合わせ面（積層面）に沿って液が流れるように、積層面を液の流入口と流出口とを結ぶ方向に配向させるのが好ましい。
【００６５】
正極は、導電性基材と、該導電性基材に担持された酸素還元触媒とを有する。
【００６６】
導電性基材としては、導電性が高く、耐食性が高く、厚みが薄くても十分な導電性と耐食性、更には導電性基材としての機械的強度を得ることがあるものであれば良く、特に制限はないが、グラファイトペーパー、グラファイトフェルト、グラファイトクロス、ステンレスメッシュ、チタンメッシュ等を用いることができ、これらのうち、特に耐久性と加工のしやすさ等の点から、グラファイトペーパー、グラファイトフェルト、グラファイトクロス等のグラファイト系基材が好ましく、とりわけグラファイトペーパーが好ましい。なお、これらのグラファイト系基材はポリテトラフルオロエチレン（ＰＴＦＥ）等のフッ素樹脂によって疎水化されたものであっても良い。
【００６７】
導電性基材の厚さは、厚過ぎると酸素の透過が悪くなり、薄過ぎると、基材に必要な強度等の要求特性を満たすことができないことから、２０〜１０００μｍ程度であることが好ましい。
【００６８】
酸素還元触媒としては、白金等の貴金属のほか、安価で且つ触媒活性が良好であるところから、二酸化マンガン等の金属酸化物が好適である。
【００６９】
［微生物発電装置］
次に、この微生物発電ユニット２０を上下左右に複数個配列した微生物発電装置について第１図及び第２図を参照して説明する。なお、第１図はこの微生物発電装置の斜視図、第２図は第１図と反対方向から見た斜視図である。
【００７０】
この実施形態では、第５図に示す微生物発電ユニット２０とは孔６４，７３の位置を入れ替えると共に孔６３，７４の位置を入れ替えた微生物発電ユニット２０Ａが用いられている。即ち、第５図の左側のエンドプレート３０に正対視した場合において、微生物発電ユニット２０と微生物発電ユニット２０Ａとは左右対称の構造となっている。各微生物発電ユニット２０，２０Ａは同一大きさの直方体状である。
【００７１】
第１，２図の微生物発電装置では、下から奇数段目すなわち１段目と３段目には微生物発電ユニット２０Ａを設置し、偶数段目すなわち２段目と４段目には微生物発電ユニット２０を設置している。各列の微生物発電ユニット２０，２０Ａの段数は同一であり、各段の微生物発電ユニット２０又は２０Ａは同一高さに位置している。
【００７２】
第１，２図では微生物発電ユニットを上下４段かつ左右に３列設けているが、この積層段数及び配列の列数はこれに限定されない。
【００７３】
最下段（第１段目）の各微生物発電ユニット２０Ａの負極溶液用の孔６３に対して、配管２１を介して負極溶液が導入される。
【００７４】
各段の微生物発電ユニット２０又は２０Ａの負極溶液流出用の孔６４から流出した負極溶液は、ジョイント配管２１を介して１段だけ上段側の微生物発電ユニット２０Ａ又は２０の負極溶液流入用の孔６３に流入する。これにより、第１段目の微生物発電ユニット２０Ａに導入された負極溶液は、第２段目、第３段目の各微生物発電ユニット２０，２０Ａを経て最上段（第４段目）の微生物発電ユニット２０に流入する。なお、第１〜３段目の微生物発電ユニットから流出する負極溶液は、同じ列に属する微生物発電ユニットすなわち同列の直上の微生物発電ユニットにのみ流入する。
【００７５】
最上段の微生物発電ユニット２０の孔６４から流出した負極溶液は、配管２３を介して排出される。
【００７６】
空気は、配管２４を介して最上段の微生物発電ユニット２０の孔７３へ供給される。最上段の微生物発電ユニット２０の孔７４から流出した空気は、ジョイント配管２５を介して第３段目の微生物発電ユニット２０Ａの孔７３に流入する。第３段目の微生物発電ユニット２０Ａの孔７４から流出した空気は、ジョイント配管２５を介して第２段目微生物発電ユニット２０の孔７３に流入し、第２段目微生物発電ユニット２０の孔７４から流出した空気は、ジョイント配管２５を介して第１段目微生物発電ユニット２０Ａの孔７３に流入する。第１段目（最下段）の微生物発電ユニット２０Ａの孔７４から流出した廃空気は、配管２６を介して排出される。
【００７７】
各段の微生物発電ユニット２０又は２０Ａの負極溶液循環用の孔８１は、循環配管４２を介して循環ポンプ４３の吸入側に接続され、該ポンプ４３の吐出側は循環配管４２を介して同一の段の微生物発電ユニット２０又は２０Ａの孔８２に接続されている。
【００７８】
従って、各段の微生物発電ユニット２０又は２０Ａの負極溶液は、その段において循環される。第１，２図では図示が省略されているが、前述の通り、配管４２にｐＨ計４７が設けられると共に、循環配管４２にアルカリ添加用配管４５が接続され、負極溶液のｐＨが好ましくは７〜９に保たれる。
【００７９】
第６図の通り、各段の微生物発電ユニット２０同士、微生物発電ユニット２０Ａ同士は直列に接続されている。各段の微生物発電ユニットの直列接続体の正極は正出力端子２７に接続され、負極は負出力端子２８に接続されており、各直列接続体は並列に接続されている。
【００８０】
これにより、微生物発電ユニット２０，２０Ａの出力電圧に微生物発電ユニットの列を乗じた出力電圧を有した大容量の微生物発電装置が構成される。
【００８１】
この微生物発電装置は、直方体形状の微生物発電ユニット２０，２０Ａを上下多段に且つ左右に複数列配列したものであり、コンパクトであり、単位体積当りの発電容量が大きい。
上記実施の形態では微生物発電ユニットを上下多段に設置しているが、１段のみ設置してもよい。
【図面の簡単な説明】
【００８２】
【図１】本発明の一実施形態に係る微生物発電装置の斜視図である。
【図２】図１の微生物発電装置の反対方向からの斜視図である。
【図３】微生物発電ユニットの単位セルの断面模式図である。
【図４】微生物発電ユニットの断面図である。
【図５】微生物発電ユニットの分解斜視図である。
【図６】微生物発電装置の結線説明図である。
【符号の説明】
【００８３】
１  単位セル
２，３１  アニオン交換膜
３，３３  正極室
４，３２  負極室
５，３５  正極
６，３４  負極
２０，２０Ａ  単位セル
３０  エンドプレート
３２Ｆ  負極室フレーム
３３Ｆ  正極室フレーム
【図１】
2010033824.tif 000003
【図２】
2010033824.tif 000004
【図３】
2010033824.tif 000005
【図４】
2010033824.tif 000006
【図５】
2010033824.tif 000007
【図６】
2010033824.tif 000008